(57)【要約】【課題】異なるトラフィックプロファイルに関連する異なるタイプの通信装置の使用の増加により、対処される必要がある無線電気通信システムにおける通信を効率的に取り扱う。【解決手段】  無線通信ネットワークにおいて使用するための通信装置であって、上記無線通信ネットワークの無線アクセスインタフェースの通信リソース上で信号を送信するように構成された送信機と、上記無線アクセスインタフェースの上記通信リソース上で送信された信号を受信するように構成された受信機と、上記信号を表すデータを送信するように上記送信機および上記受信機を制御するように構成された制御回路とを備える通信装置を提供する。上記コントローラは、上記送信されるデータを表す上記信号を送信するために使用される上記無線アクセスインタフェースの通信リソースを決定し、制御情報を受信するために上記無線アクセスインタフェースを監視するためのスケジュールを決定するように構成され、上記監視スケジュールは、上記データを送信するために使用される上記決定された通信リソースに基づき、上記制御情報は、上記決定された通信リソースの少なくとも一部が他の通信装置によって信号を送信するために割り当てられることを示すプリエンプション指示に対して監視される。この構成によれば、上記通信装置は、PI監視の期間を最小化するプリエンプション指示を監視するように構成される。他のアップリンクデータは、ＵＲＬＬＣサービス等のより厳しいレイテンシ要件を必要とするサービスのためのものであってもよい。【選択図】図１１
2022502938.tif 000002
【特許請求の範囲】
【請求項１】
無線通信ネットワークにおいて使用するための通信装置であって、
前記無線通信ネットワークの無線アクセスインタフェースの通信リソース上で信号を送信するように構成された送信機と、
前記無線アクセスインタフェースの前記通信リソース上で送信された信号を受信するように構成された受信機と、
前記信号を表すデータを送信するように前記送信機および前記受信機を制御するように構成された制御回路であって、
前記送信されるデータを表す前記信号を送信するために使用される前記無線アクセスインタフェースの通信リソースを決定し、
制御情報を受信するために前記無線アクセスインタフェースを監視するためのスケジュールを決定する
ように構成された制御回路を具備し、
前記監視スケジュールは、前記データを送信するために使用される前記決定された通信リソースに基づき、前記制御情報は、前記決定された通信リソースの少なくとも一部が他の通信装置によって信号を送信するために割り当てられることを示すプリエンプション指示に対して監視される
通信装置。
【請求項２】
請求項１に記載の通信装置であって、
前記制御情報監視スケジュールは、監視開始時間、監視周期、および監視終了時間のうちの１つまたは複数を含む
通信装置。
【請求項３】
請求項２に記載の通信装置であって、
前記監視開始時間は、前記決定された通信リソースの開始時間と、前記制御情報についての所定の処理時間に対応する所定の時間とに基づいて決定される.
【請求項４】
請求項２または請求項３に記載の通信装置であって、
前記制御情報監視スケジュールは、前記監視終了時間を含み、前記監視終了時間は、前記決定された通信リソースの終了時間と、通信リソースのグラントを示す制御情報についての所定の処理時間に対応する所定の時間とに基づいて決定される
通信装置。
【請求項５】
請求項２から請求項４のいずれか１つに記載の通信装置であって、
前記制御情報監視スケジュールは、前記監視周期を含み、前記監視周期は、通信リソースのグラントを示す制御情報についての前記所定の処理時間に対応する前記所定の時間と、前記制御情報についての前記所定の処理時間に対応する前記所定の時間とのうちの１つまたは複数に基づいて決定される
通信装置。
【請求項６】
請求項２から請求項５のいずれか１つに記載の通信装置であって、
前記制御回路は、前記通信装置が前記監視開始時間、前記監視周期性、および前記監視終了時間のうちの１つまたは複数の指示を受信するように前記送信機および前記受信機を制御するように構成される
通信装置。
【請求項７】
請求項１から請求項６のいずれか１つに記載の通信装置であって、
前記制御情報監視スケジュールは、前記制御情報の複数のインスタンスを識別し、
前記制御回路は、
前記通信装置が
前記制御情報のインスタンスが前記決定された通信リソースの一部が他の通信装置による送信のために割り当てられていることを示すと判定し、
前記制御情報のインスタンスが前記決定された通信リソースの一部が他の通信装置による送信のために割り当てられていることを示すと判定したことに応答して、前記決定された通信リソースの対応する部分を決定する
ように動作可能となるように
前記送信機および前記受信機を制御するように構成される、
通信装置。
【請求項８】
請求項７に記載の通信装置であって、
前記決定された通信リソースの前記対応する部分は、前記制御情報監視スケジュールのうちの１つまたは複数に基づいて決定され、前記所定の時間は、前記制御情報についての最小処理時間に対応し、前記所定の時間は、通信リソースのグラントを示す制御情報についての最小処理時間に対応する
通信装置。
【請求項９】
請求項７または請求項８に記載の通信装置であって、
前記制御回路は、
前記通信装置が
制御情報監視スケジュールに従って、前記制御情報を表す前記信号を受信およびデコードし、
前記制御情報に従って、前記データを表す前記信号を送信し、あるいは、少なくとも前記決定された通信リソースの前記対応する部分の間、送信を控えることによって、前記データを表す前記信号を送信することを控える
ように動作可能となるように
前記送信機および前記受信機を制御するように構成される
通信装置。
【請求項１０】
請求項１から請求項９のいずれか１つに記載の通信装置であって、
前記制御回路は、
前記通信装置が、前記データを表す前記信号を送信するための前記無線アクセスインタフェースの前記通信リソースの指示を受信するように動作可能であり、
前記通信リソースが、前記無線アクセスインタフェースの共有アップリンクチャネル上にある
ように前記送信機および前記受信機を制御するように構成される
通信装置。
【請求項１１】
無線通信ネットワークで使用するためのインフラ機器であって、
前記無線通信ネットワークによって提供される無線アクセスインタフェースを介して信号を送信するように構成された送信回路と、
前記無線通信ネットワークの前記無線アクセスインタフェースを介して送信されるデータを表す信号を受信するように構成された受信回路と、
前記インフラ機器が、
第１の通信装置から第１のデータを表す信号を受信するための前記無線アクセスインタフェースの第１の通信リソースを決定し、
前記第１の通信リソースに基づいて、前記第１の通信装置についての制御情報監視スケジュールを決定する
ように動作可能となるように前記送信回路および前記受信回路を制御するように構成された制御回路とを備え、
前記監視スケジュールは前記第１のデータを受信するために使用される前記決定された第１の通信リソースに基づき、前記制御情報は、前記第１の通信リソースの少なくとも一部が他の通信装置によって信号を送信するために割り当てられることを示すプリエンプション指示を提供する
インフラ機器。
【請求項１２】
請求項１１に記載のインフラ機器であって、
前記制御情報監視スケジュールは、監視開始時間、監視周期、および監視終了時間のうちの１つまたは複数を含む
インフラ機器。
【請求項１３】
請求項１２に記載のインフラ機器であって、
前記制御情報監視スケジュールは、前記監視開始時間を含み、前記監視開始時間は、前記第１の通信リソースの開始時間と、前記制御情報についての予め定義された処理時間に対応する所定の時間とに基づいて決定される
インフラ機器。
【請求項１４】
請求項１２または請求項１３に記載のインフラ機器であって、
前記制御情報監視スケジュールは、前記監視終了時間を含み、前記監視終了時間は、前記第１の通信リソースの終了時間と、通信リソースのグラントを示す制御情報についての予め定義された処理時間に対応する所定時間とに基づいて決定される
インフラ機器。
【請求項１５】
請求項１２から請求項１４のいずれか１つに記載のインフラ機器であって、
前記制御情報監視スケジュールは、前記監視周期を含み、前記監視周期は、通信リソースのグラントを示す制御情報についての最小処理時間に対応する前記所定の時間と、前記制御情報についての最小処理時間に対応する前記所定時間とのうちの１つまたは複数に基づいて決定される
インフラ機器。
【請求項１６】
請求項１１から請求項１５のいずれか１つに記載のインフラ機器であって、
前記制御回路は、
第２の通信装置から第２のデータを表す信号を受信するための前記無線アクセスインタフェースの第２の通信リソースを決定し、
前記決定された制御情報監視スケジュールに従って前記制御情報を受信するように前記受信回路を制御する
ように構成され、
前記第２の通信リソースは、前記第１の通信リソースの少なくとも一部を含み、前記制御情報は、前記第１の通信リソースの少なくとも一部が前記第２の通信装置によって信号を受信するために割り当てられたことを示す
インフラ機器。
【請求項１７】
無線通信ネットワークにおいてデータを送信するように通信装置を動作させる通信装置動作方法であって、
前記送信するデータを表す信号を送信するために使用される前記無線通信ネットワークによって提供される無線アクセスインタフェースの通信リソースを決定し、
制御情報を受信するために前記無線アクセスインタフェースを監視するためのスケジュールを決定し、
前記監視スケジュールは、前記データを送信するために使用される前記決定された通信リソースに基づき、前記制御情報は、前記決定された通信リソースの少なくとも一部が他の通信装置によって信号を送信するために割り当てられることを示すプリエンプション指示に対して監視される
通信装置動作方法。
【請求項１８】
請求項１７に記載の通信装置動作方法であって、
前記制御情報監視スケジュールは、監視開始時間、監視周期、および監視終了時間のうちの１つまたは複数を含む
通信装置動作方法。
【請求項１９】
請求項１７または請求項１８に記載の通信装置動作方法であって、さらに、
前記データを送信するために前記無線アクセスインタフェースの前記通信リソース上で信号を送信し、
前記監視スケジュールに従って、プリエンプション指示を提供する前記制御情報を検出し、
前記プリエンプション指示に従って、データを表す前記信号の前記送信を適応させる
通信装置動作方法。
【請求項２０】
無線通信ネットワークにおいて使用するためのインフラ機器を動作させるインフラ機器動作方法であって、
データを表す信号を受信するための無線アクセスインタフェースの通信リソースを決定し、
前記決定された通信リソースに基づいて、プリエンプション指示を提供する制御情報を監視するためのスケジュールを決定し、
前記監視スケジュールは、前記データを受信するために使用される前記決定された通信リソースに基づき、前記プリエンプション指示は、前記通信リソースの少なくとも一部が他の信号を受信するために割り当てられていることを示す
インフラ機器動作方法。
【請求項２１】
請求項２０に記載のインフラ機器動作方法であって、
前記制御情報監視スケジュールは、監視開始時間、監視周期、および監視終了時間のうちの１つまたは複数を含む
インフラ機器動作方法。
【請求項２２】
請求項２０または請求項２１に記載のインフラ機器動作方法であって、さらに、
前記データを受信するために前記無線アクセスインタフェースの前記通信リソース上で信号を受信し、
前記監視スケジュールに従って、前記プリエンプション指示を提供する前記制御情報を送信し、
前記プリエンプション指示に従って、他のデータを表す前記他の信号を適応させる
インフラ機器動作方法。
【請求項２３】
無線通信ネットワークにおいて使用するための回路であって、
前記無線通信ネットワークの無線アクセスインタフェースの通信リソース上で信号を送信するように構成された送信機と、
前記無線アクセスインタフェースの前記通信リソース上で送信された信号を受信するように構成された受信機と、
前記信号を表すデータを送信するように前記送信機および前記受信機を制御するように構成された制御回路であって、
前記送信されるデータを表す前記信号を送信するために使用される前記無線アクセスインタフェースの通信リソースを決定し、
制御情報を受信するために前記無線アクセスインタフェースを監視するためのスケジュールを決定する
ように構成された制御回路とを備え、
前記監視スケジュールは、前記データを送信するために使用される前記決定された通信リソースに基づき、前記制御情報は、前記決定された通信リソースの少なくとも一部が他の通信装置によって信号を送信するために割り当てられることを示すプリエンプション指示に対して監視される
回路。
【請求項２４】
無線通信ネットワークにおいて使用するための回路であって、
前記無線通信ネットワークによって提供される無線アクセスインタフェースを介して信号を送信するように構成された送信回路と、
前記無線通信ネットワークの前記無線アクセスインタフェースを介して送信されるデータを表す信号を受信するように構成された受信回路と、
前記インフラ機器が、
第１の通信装置から第１のデータを表す信号を受信するための前記無線アクセスインタフェースの第１の通信リソースを決定し、
前記第１の通信リソースに基づいて、前記第１の通信装置についての制御情報監視スケジュールを決定する
ように動作可能となるように前記送信回路および前記受信回路を制御するように構成された制御回路とを備え、
前記監視スケジュールは前記第１のデータを受信するために使用される前記決定された第１の通信リソースに基づき、前記制御情報は、前記第１の通信リソースの少なくとも一部が他の通信装置によって信号を送信するために割り当てられることを示すプリエンプション指示を提供する
回路。
【請求項２５】
コンピュータにロードされたときに、前記コンピュータに請求項１７から請求項２２のいずれか１つに記載の動作方法を実行させるコンピュータ実行可能な指示を提供するコンピュータプログラム。
【発明の詳細な説明】
【技術分野】
【０００１】
本開示は、無線通信ネットワークにおいて通信装置によってデータを送信するための通信装置、インフラ機器、および方法に関する。本技術の実施形態は、上記送信が別の送信によってプリエンプトされ得る場合にアップリンクデータをより効率的に送信するための構成を提供することができる。したがって、プリエンプションは、アップリンクデータ送信のために通信装置に以前に割り当てられた通信リソースの取得または要求に関する。
【背景技術】
【０００２】
本出願は、欧州特許出願第18197779.4号に対するパリ条約の優先権を主張するものであり、その内容が参照により本明細書に援用される。
【０００３】
本明細書で提供される「背景技術」の説明は、本開示の背景を一般的に提示するためのものである。この背景技術の項に記載されている限りにおいて、ここに名を挙げられた発明者らの研究および出願時に先行技術としてみなされない記述の態様は、本発明に対する先行技術として明示的にも暗示的にも認められない。
【０００４】
３ＧＰＰ定義のＵＭＴＳおよびＬＴＥ（Long Term Evolution）アーキテクチャに基づく移動通信システム等の第3世代および第4世代移動通信システムは、前の世代の移動通信システムが提供する単純な音声およびメッセージングサービスよりも高度なサービスをサポートすることができる。例えば、LTEシステムが提供する改善された無線インタフェースおよび拡張されたデータレートを用いて、ユーザは、以前は固定回線データ接続を介してのみ利用可能であったモバイルビデオストリーミングおよびモバイルビデオ会議等の高データレートアプリケーションを享受することができる。したがって、そのようなネットワークを配備する要求は強く、これらのネットワークのカバレッジエリア、すなわち、ネットワークへのアクセスが可能な地理的位置は、ますます急速に増加することが予想され得る。
【０００５】
将来の無線通信ネットワークは、現在のシステムがサポートするように最適化されているものよりも、より広範囲のデータトラフィックプロファイルおよびデータトラフィックタイプに関連するより広範囲のデバイスを用いて、通信を日常的かつ効率的にサポートすることが期待される。例えば、将来の無線通信ネットワークは、複雑さが低減された装置、マシンタイプ通信（ＭＴＣ）装置、高解像度ビデオディスプレイ、仮想現実ヘッドセット等を含む装置との通信を効率的にサポートすることが期待される。これらの異なるタイプのデバイスのうちのいくつかは非常に多数、例えば、「物のインターネット（Internet of Things）」をサポートするための低複雑度のデバイスに配備されてもよく、典型的には、比較的高いレイテンシ耐性を有する比較的少量のデータの送信に関連していてもよい。
【０００６】
この観点から、異なるアプリケーションおよび異なる特性データトラフィックプロファイルに関連する広範囲のデバイスのための接続性を効率的にサポートするために、将来の無線通信ネットワーク、例えば、５Ｇまたは新しい無線（ＮＲ）システム／新しい無線アクセス技術（ＲＡＴ）システム（非特許文献１）と呼ばれ得る無線通信ネットワーク、ならびに既存のシステムの将来のイテレーション／リリースが望まれることが予想される。
【０００７】
ＮＲシステムは、広範囲の周波数で動作することが期待され、広範囲のユースケースをカバーすることが期待される。考慮されるユースケースの例は、以下の通りである。
拡張モバイルブロードバンド（ｅＭＢＢ）
大規模マシンタイプ通信（ｍＭＴＣ）
超高信頼低遅延通信（ＵＲＬＬＣ）
【０００８】
ｅＭＢＢサービスは、典型的には、２０Ｇｂ／ｓまでをサポートする必要がある大容量サービスである。大量のデータを高スループットで効率的に送信するために、ｅＭＢＢサービスはオーバーヘッドを最小限に抑えるように長いスケジューリング時間を使用することが予想され、スケジューリング時間は割り当て間のデータ送信に利用可能な時間を指す。言い換えると、ｅＭＢＢサービスは、割当メッセージの頻度を比較的低くし、割当メッセージ間のデータ送信により長い時間を割り当てることが予想される。
【０００９】
超高信頼低遅延通信（ＵＲＬＬＣ）サービスは、その名前が示唆するように、データユニットまたはパケットが高い信頼性、かつ、低い通信遅延で通信されることを必要とする。したがって、ＵＲＬＬＣタイプのサービスは、ＬＴＥタイプの通信システムおよび５Ｇ／ＮＲ通信システムの両方にとって、難しい例である。
【００１０】
異なるトラフィックプロファイルに関連する異なるタイプの通信装置の使用の増加により、対処される必要がある無線電気通信システムにおける通信を効率的に取り扱うための新たな課題が生じる。
【００１１】
【先行技術文献】
【非特許文献】
【００１２】
【非特許文献１】3GPP TS 38.300 v. 15.2.0 "NR; NR and NG-RAN Overall Description; Stage 2(Release 15)", June 2018
【非特許文献２】Holma H. and Toskala A, "LTE for UMTS OFDMA and SC-FDMA based radio access", John Wiley and Sons, 2009
【非特許文献３】TR 38.913, "Study on Scenarios and Requirements for Next Generation Access Technologies (Release 14)".
【発明の概要】
【発明が解決しようとする課題】
【００１３】
本開示は、上述の問題のうちの少なくともいくつかに対処し、あるいは軽減するのに役立てることができる。
【課題を解決するための手段】
【００１４】
【００１５】
本技術の実施形態は、無線通信ネットワークにおいて使用するための通信装置を提供することができ、上記通信装置は、上記無線通信ネットワークの無線アクセスインタフェースの通信リソース上で信号を送信するように構成された送信機と、上記無線アクセスインタフェースの上記通信リソース上で送信された信号を受信するように構成された受信機と、上記信号を表すデータを送信するように上記送信機および上記受信機を制御するように構成されたコントローラとを備える。上記コントローラは、上記送信されるデータを表す上記信号を送信するために使用される上記無線アクセスインタフェースの通信リソースを決定し、制御情報を受信するために上記無線アクセスインタフェースを監視するためのスケジュールを決定するように構成される。上記監視スケジュールは、上記データを送信するために使用される上記決定された通信リソースに基づき、上記制御情報は、上記決定された通信リソースの少なくとも一部が他の通信装置によって信号を送信するために割り当てられることを示すプリエンプション指示に対して監視される。この構成によれば、上記通信装置は、冗長プリエンプション指示監視の機会／試行／労力が最小化されるように、時には、プリエンプション指示を監視するように構成される。例えば、代替的な構成として、上記通信装置は、ＮＲ／５Ｇ無線アクセスインタフェースの各ミニスロットのような、無線アクセスインタフェースの時間分割構造の特定の期間、プリエンプション指示を監視してもよい。通信装置が使用することを計画している時間分割構造の通信リソースに基づいて、プリエンプション指示を監視するためのスケジュールを提供することによって、当該通信装置は、プリエンプション指示が送信されるか否かを検出しなければならない機会の数を低減することができる。他のアップリンクデータは、ＵＲＬＬＣサービス等のより厳しいレイテンシ要件を必要とするサービスのためのものであってもよい。したがって、上記通信装置は、プリエンプション指示監視の試行／機会／労力を最小限に抑えるだけで、監視の労力（複雑さ）を低減することができる。
【００１６】
したがって、例示的な実施形態によれば、上記通信装置は、上記制御情報監視スケジュールおよび上記プリエンプション指示に従って、上記プリエンプション指示を提供する上記制御情報を表す上記信号を受信及びデコードするように構成されることにより、例えば、少なくとも他の通信装置に割り当てられた上記通信リソースの一部の間、上記データを表す上記信号を送信することを控えることによって、上記データの送信を適応させることができる。
【００１７】
本技術の実施形態は、さらに、インフラ機器、通信装置およびインフラ機器を動作させる方法、ならびに通信装置およびインフラ機器のための回路に関し、通信装置の複雑さおよび処理要件を低減しながら、異なるデータタイプの様々な要件を満たす通信リソースの効率的な使用を可能にする。
【００１８】
本開示のそれぞれの態様および特徴は、添付の特許請求の範囲において定義される。
【００１９】
前述の一般的な説明および以下の詳細な説明の両方が、本技術の例示であるが、限定的なものではないことを理解されたい。説明される実施形態は、さらなる利点とともに、添付の図面と併せて以下の詳細な説明を参照することによって最もよく理解されるであろう。
【図面の簡単な説明】
【００２０】
【図１】図１は、本開示の例示的な実施形態に従って動作するように構成され得るＬＴＥタイプの無線電気通信システムのいくつかの態様を概略的に示す。
【図２】図２は、本開示の諸実施形態に従って動作するように構成され得る新しい無線アクセス技術（ＲＡＴ）無線通信ネットワークのいくつかの例示的な態様を概略的に示す。
【図３】図３は、本開示の実施形態に係る電気通信システムを概略的に示す。
【図４】図４は、本開示の諸実施形態に係るものであってもよい通信装置およびインフラ機器と、アップリンクプリエンプションに関連する送信のシーケンスとを概略的に示す。
【図５】図５は、本開示の諸実施形態に係る、プリエンプション指示に関して決定された影響期間を示す。
【図６】図６は、本開示の諸実施形態に係る、割り当てられたアップリンク通信リソースに関連するＰＩインスタンスを監視するための監視開始時間および監視終了時間を示す。
【図７】図７は、本開示の諸実施形態に係る、ＰＩインスタンスを監視するための監視開始時間、監視終了時間、および監視周期を示す。
【図８】図８は、本開示の諸実施形態に係る、プリエンプション指示のための監視スケジュールを示す。
【図９】図９は、本開示の諸実施形態に係る、決定された影響期間外の期間中に通信装置の送信電力が低減される例を示す。
【図１０】図１０は、本開示の例示的な実施形態に係る、任意の非影響期間がｅＭＢＢ送信のために割り当てられた通信リソースの先頭または終端のいずれかに入るような監視スケジュールの例を示す。
【図１１】図１１は、本開示の実施形態に係る通信装置のための処理フローチャートを示す。
【発明を実施するための形態】
【００２１】
本開示のより完全な理解およびそれに付随する利点の多くは、添付の図面に関連して考慮されるとき、以下の詳細な説明を参照することによってより良く理解されるので、容易に得られるであろう。添付の図面において、同様の参照番号は、いくつかの図を通して同一または対応する部分を示す。
ＬＴＥアドバンスド（Long Term Evolution Advanced）無線アクセス技術（４Ｇ）
【００２２】
図１は、一般にＬＴＥ原理に従って動作するが、他の無線アクセス技術もサポートすることができ、本明細書に記載するように、本開示の実施形態を実装するように適合させることができる移動通信ネットワーク／システム１００のいくつかの基本的な機能を示す概略図を提供する。図１の様々な要素およびそれらのそれぞれの動作モードのいくつかの態様はよく知られており、３ＧＰＰ（ＲＴＭ）本体によって管理される関連する規格において定義され、また、当該主題に関する多くの書籍、例えば、Holma H.およびToskala A（非特許文献２）にも記載されている。本明細書に記載されている電気通信ネットワークの動作態様であって、（例えば、異なる要素間で通信するための特定の通信プロトコルおよび物理チャネルに関して）特に説明されていないものは、任意の既知の技術、例えば、関連する規格および当該関連する規格に対する既知の提案された修正および追加に従って実施され得ることが理解されよう。
【００２３】
ネットワーク１００は、コアネットワーク部１０２に接続された複数の基地局１０１を含む。各基地局は、通信装置１０４との間でデータを通信することができ、通信装置がサービスを得ることができるカバレッジエリア１０３（例えば、セル）を提供する。データは、基地局１０１から、それぞれのカバレッジエリア１０３内の通信装置１０４に、無線ダウンリンクを介して送信される。データは、無線アップリンクを介して通信装置１０４から基地局１０１に送信される。コアネットワーク部１０２は、それぞれの基地局１０１を介して通信装置１０４との間でデータの送受信を行うものであり、認証、移動管理、課金等の機能を提供する。通信装置は、移動端末、ユーザ機器（ＵＥ）、ユーザ端末、移動無線機、端末装置等と呼ばれることもある。ネットワークインフラ機器／ネットワークアクセスノードの一例である基地局は、トランシーバ局／ノードＢｓ／ｅノードＢｓ、ｇノードＢｓ等と呼ばれることもある。この点で、異なる用語が、広く同等の機能を提供する要素のための異なる世代の無線電気通信システムに関連することも多い。しかしながら、本開示の例示的な実施形態は、異なる世代の無線電気通信システムにおいて同様に実施されてもよく、簡潔にするために、基礎となるネットワークアーキテクチャにかかわらず、特定の用語を使用してもよい。すなわち、特定の実施例に関連する特定の用語の使用は、これらの実施例がその特定の用語に最も関連する可能性のある特定の世代のネットワークに限定されることを示すことを意図していない。
【００２４】
図２は、本明細書に記載する本開示の実施形態に係る機能を提供するように適合され得る、既に提案されている手法に基づく新しいＲＡＴ無線通信ネットワーク／システム３００のためのネットワークアーキテクチャを示す模式図である。図２に示す新しいＲＡＴネットワーク３００は、第１の通信セル３０１と第２の通信セル３０２とを含む。各通信セル３０１、３０２は、それぞれの有線または無線リンク３５１、３５２を介してコアネットワークコンポーネント３１０と通信する制御ノード（集約ノード）３２１、３２２を備える。また、各制御ノード３２１、３２２は、それぞれのセル内の複数の分散ノード（無線アクセスノード／遠隔送受信ポイント（ＴＲＰ））３１１、３１２と通信している。これらの通信も、それぞれの有線または無線リンクを介して行うことができる。分散ノード３１１、３１２は、ネットワークに接続された通信装置に無線アクセスインタフェースを提供する役割を果たす。各分散ノード３１１、３１２は、それぞれの通信セル３０１、３０２のカバレッジを共に定義するカバレッジエリア（無線アクセスフットプリント）３４１、３４２を有する。各分散ノード３１１、３１２は、無線信号の送受信のためのトランシーバ回路と、それぞれの分散ノード３１１、３１２を制御するように構成されたプロセッサ回路とを含む。
【００２５】
広範なトップレベル機能に関して、図２に示す新しいＲＡＴ通信ネットワークのコアネットワークコンポーネント３１０は、図１に示すコアネットワーク１０２に対応すると広く考えてもよく、それぞれの制御ノード３２１、３２２およびそれらの関連する分散ノード／ＴＲＰ３１１、３１２は、図１の基地局１０１に対応する機能を提供すると広く考えてもよい。ネットワークインフラ機器／アクセスノードという用語は、これらの要素、および無線通信システムのより従来的な基地局型要素を包含するために使用され得る。現在のアプリケーションに応じて、それぞれの分散ノードと通信装置との間の無線インタフェース上でスケジュールされる送信をスケジュールする役目は、制御ノード／集約ノードおよび／または分散ノード／ＴＲＰが果たしてもよい。
【００２６】
図２には、第１の通信セル３０１のカバレッジエリア内の通信装置４００が示されている。したがって、この通信装置４００は、第１の通信セル３０１に関連する分散ノード３１１のうちの１つを介して、第１の通信セル内の第１の制御ノード３２１とシグナリングを交換することができる。所与の通信装置における通信が上記分散ノードのうちの1つのみを介してルーティングされることもあるが、所与の通信装置に関連する他のいくつかの実施例では、例えば、ソフトハンドオーバシナリオや他のシナリオにおける複数の分散ノードを介して通信がルーティングされてもよいことが理解されよう。
【００２７】
通信装置が関連する制御ノードを介して現在接続されている特定の分散ノードは、通信装置用のアクティブ分散ノードと呼ばれることがある。したがって、通信装置用のアクティブ分散ノードのサブセットは、１つまたは複数の分散ノード（ＴＲＰ）を備えていてもよい。制御ノード３２１は、第１の通信セル３０１にまたがる分散ノード３１１のうちのどれが、任意の所与の時間に通信装置４００と無線通信を実行するか（すなわち、分散ノードのうちのどれが、通信装置用の現在のアクティブ分散ノードであるか）を決定する役目を果たす。通常、これは、通信装置４００とそれぞれの分散ノード３１１との間の無線チャネル条件の測定値に基づくことになる。この点に関して、通信装置用の現在アクティブであるセル内の分散ノードのサブセットは、少なくとも部分的に、当該セル内の通信装置の位置に依存することが理解されよう（当該位置が、通信装置とそれぞれの分散ノードとの間に存在する無線チャネル条件に著しく寄与するため）。
【００２８】
少なくともいくつかの実装形態では、上記通信装置から制御ノード（制御ユニット）に通信をルーティングする際の分散ノードの関与が通信装置４００に対してトランスペアレントである。すなわち、通信装置は、当該通信装置が現在動作している通信セル３０１の制御ノード３２１と通信装置４００との間の通信のルーティングをどの分散ノードが担当しているか、あるいは、任意の分散ノード３１１が制御ノード３２１に接続されており、かつ、通信のルーティングに関与しているかどうかを認識していない場合がある。そのような場合、上記通信装置に関する限り、当該通信装置は単に制御ノード３２１にアップリンクデータを送信し、制御ノード３２１からダウンリンクデータを受信し、分散ノード３１１によって送信される無線構成を認識することができるが、分散ノード３１１の関与を認識しない。しかしながら、他の実施形態では、通信装置は、どの分散ノードがその通信に関与しているかを認識することができる。１つまたは複数の分散ノードのスイッチングおよびスケジューリングは、通信装置アップリンク信号の分散ノードによる測定値、または通信装置によって取得され、１つまたは複数の分散ノードを介して制御ノードに報告される測定値に基づいて、ネットワーク制御ノードにおいて行われてもよい。
【００２９】
図２の例では、簡潔にするために、２つの通信セル３０１、３０２および１つの通信装置４００が示されているが、言うまでもなく、実際には、システムがより多数の通信装置を提供する（それぞれの制御ノードおよび複数の分散ノードによってサポートされる）より多数の通信セルを備えてもよいことが理解されよう。
【００３０】
図２は、本明細書に記載する原理に係る手法が採用され得る新しいＲＡＴ通信システムのための提案されたアーキテクチャの単なる一例を示し、本明細書で開示する機能は、異なるアーキテクチャを有する無線通信システムに関しても適用され得ることがさらに理解されよう。
【００３１】
したがって、本明細書に記載する本開示の例示的な実施形態は、図１および図２に示す例示的なアーキテクチャ等の様々な異なるアーキテクチャに係る無線電気通信システム／ネットワークにおいて実施されてもよい。したがって、任意の所与の実施における特定の無線通信アーキテクチャは、本明細書に記載する原理にとって一義的なものではないことが理解されよう。この点に関して、本開示の例示的な実施形態は、一般に、ネットワークインフラ機器／アクセスノードと通信装置との間の通信の観点から説明することができ、ネットワークインフラ機器／アクセスノードおよび通信装置の特定の性質は、現在における実施のためのネットワークインフラストラクチャに依存することになる。例えば、いくつかのシナリオでは、ネットワークインフラ機器／アクセスノードは、本明細書に記載する原理に従って機能を提供するように適合された、図１に示すようなＬＴＥタイプ基地局１０１等の基地局を備えることができる。他の例では、ネットワークインフラ機器／アクセスノードは、本明細書に記載する原理に従って機能を提供するように適合された、図２に示す種類の制御ユニット／制御ノード３２１、３２２および／またはＴＲＰ３１１、３１２を備えていてもよい。
【００３２】
図１に示す無線アクセスネットワークの要素は、用語の変更が上述のように適用され得ることを除いて、５Ｇの新しいＲＡＴ構成に同様に適用され得る。
【００３３】
本発明の諸実施形態は、５Ｇまたは新しい無線（New Radio：ＮＲ）アクセス技術と呼ばれるもの等の高度な無線通信システムに適用することができる。
【００３４】
図３は、本開示の実施形態に係る電気通信システム５００を概略的に示す。本例における電気通信システム５００は、概して、ＬＴＥタイプのアーキテクチャに基づいている。したがって、このような電気通信システム／ネットワーク５００の動作の多くの態様が知られており、理解されており、簡潔にするために本明細書では詳細に説明しない。本明細書に具体的に記載されていない電気通信システム５００の動作態様は、任意の既知の技術、例えば、現在のＬＴＥ規格に従って実施されてもよい。
【００３５】
電気通信システム５００は、無線ネットワーク部に結合されたコアネットワーク部１０２を備える。無線ネットワーク部は、一般に矢印５０８で示される無線アクセスインタフェースを介して、端末装置とも呼ばれる通信装置１０４に結合されたインフラ機器（発展型ノードＢであってもよい）１０１を備える。言うまでもないが、実際には、無線ネットワーク部が、様々な通信セルにわたってより多数の通信装置を提供する複数の基地局を備えてもよいことが理解されよう。しかしながら、簡潔にするために、単一のインフラ機器および単一の通信装置のみが図３に示されている。
【００３６】
上述したように、図３に示す通信システム５００の様々な要素の動作は、本明細書に記載する本開示の実施形態に係る機能を提供するように修正された場合を除いて、広く従来通りであってもよい。
【００３７】
インフラ機器１０１は、インタフェース５１０を介してコアネットワーク１０２に接続され、コントローラ５０６に接続される。インフラ機器１０１は、アンテナ５１８に接続された受信機５０４と、アンテナ５１８に接続された送信機５０２とを含む。受信機５０４および送信機５０２は、両方ともコントローラ５０６に接続される。コントローラ５０６はインフラ機器１０１を制御するように構成され、本明細書でさらに説明するように、機能を提供するための各種サブユニット／サブ回路を含み得るプロセッサ回路を備えてもよい。これらのサブユニットは、個別のハードウェア要素として、またはプロセッサ回路の適切に構成された機能として実装されてもよい。従って、コントローラ５０６は、無線電気通信システムにおける機器のための従来のプログラミング／構成技術を用いて所望の機能を提供するように適切に構成／プログラミングされた回路を備えることができる。送信機５０２、受信機５０４、およびコントローラ５０６は、表現を容易にするために、別個の要素として図３に概略的に示されている。しかしながら、これらの要素の機能は、例えば、１つ以上の適切にプログラミングされたプログラム可能なコンピュータ、または１つ以上の適切に構成された特定用途向け集積回路／回路／チップ／チップセットを用いて、様々な異なる方法で提供され得ることが理解されよう。インフラ機器１０１は、一般に、その操作機能に関連する様々な他の要素を備えることが理解されよう。
【００３８】
これに対応して、通信装置１０４は、アンテナ５２０から信号を受信する受信機５１４に接続されたコントローラ５１６を含む。また、コントローラ５１６は、アンテナ５２０にも接続される送信機５１２に接続される。コントローラ５１６は通信装置１０４を制御するように構成され、本明細書でさらに説明するように、機能を提供するための各種サブユニット／サブ回路を備え得るプロセッサ回路を備えてもよい。これらのサブユニットは、個別のハードウェア要素として、またはプロセッサ回路の適切に構成された機能として実装されてもよい。したがって、コントローラ５１６は、無線電気通信システムにおける機器のための従来のプログラミング／構成技術を用いて所望の機能を提供するように適切に構成／プログラミングされた回路を備えてもよい。送信機５１２、受信機５１４、およびコントローラ５１６は、表現を容易にするために、別個の要素として図３に概略的に示されている。しかしながら、これらの要素の機能は、例えば、１つ以上の適切にプログラミングされたプログラム可能なコンピュータ、または１つ以上の適切に構成された特定用途向け集積回路／回路／チップ／チップセットを用いて、様々な異なる方法で提供され得ることが理解されよう。通信装置１０４は、一般に、その操作機能に関連する様々な他の要素、例えば、電源、ユーザインタフェース等を備えるが、これらは、簡潔にするために、図３には示されていないことが理解されよう。
【００３９】
ＮＲ技術を組み込んだシステムは、レイテンシ、データレート、および／または信頼度についての異なる要件によって特徴付けられ得る、異なるサービス（またはサービスのタイプ）をサポートすることが期待される。例えば、拡張モバイルブロードバンド（ｅＭＢＢ）サービスは、２０Ｇｂ／ｓまでをサポートする必要がある高容量を特徴とする。
【００４０】
ｅＭＢＢサービスに関連するデータを送信するときに、通信リソースの効率的な使用を保証するために、そのようなデータを個々に送信すると、大量の通信リソースを使用する場合があり、したがって、比較的長期間にわたって継続時間が続く場合がある（例えば、単一のデータ送信は、時間分割無線アクセスインタフェースの複数のタイムスロットにわたって行われる場合がある）。
【００４１】
超高信頼低遅延通信（ＵＲＬＬＣ）（非特許文献１）サービスの要件は、１ミリ秒のユーザプレーンレイテンシを有する３２バイトパケットの１回の送信に対して、１−１０−５（９９．９９９％）以上の信頼度である（非特許文献３）。状況によっては、１−１０−６（９９．９９９９％）以上の信頼度が要件とされる場合もある。
【００４２】
無線アクセスインタフェースが時分割多元接続と組み合わせて直交周波数分割多重化（ＯＦＤＭ）を使用する場合、無線アクセスインタフェースに関連する通信リソースは、ＯＦＤＭシンボル期間に基づいて分割してもよい。所定の数（例えば、１４）のＯＤＦＭシンボル期間は、タイムスロットを含んでもよい。
【００４３】
ＵＲＬＬＣデータはレイテンシに不耐性であるので、ＵＲＬＬＣデータ送信はｅＭＢＢデータ送信のために既に割り当てられているリソースのサブセットを占有する（すなわち、使用して送信される）ことができる。これを「プリエンプション」と呼ぶことがある。
【００４４】
しかしながら、アップリンク送信に関してプリエンプションをサポートする効率的な技術を提供することが依然として課題である。
【００４５】
例示的な実施形態によれば、無線通信ネットワークにおいて使用するための通信装置が提供され、上記通信装置は、上記無線通信ネットワークの無線アクセスインタフェースの通信リソース上で信号を送信するように構成された送信機と、上記無線アクセスインタフェースの上記通信リソース上で送信された信号を受信するように構成された受信機と、上記信号を表すデータを送信するように上記送信機および上記受信機を制御するように構成されたコントローラとを備える。上記コントローラは、上記送信されるデータを表す上記信号を送信するために使用される上記無線アクセスインタフェースの通信リソースを決定し、制御情報を受信するために上記無線アクセスインタフェースを監視するためのスケジュールを決定するように構成される。上記監視スケジュールは、上記データを送信するために使用される上記決定された通信リソースに基づき、上記制御情報は、上記決定された通信リソースの少なくとも一部が他の通信装置によって信号を送信するために割り当てられることを示すプリエンプション指示に対して監視される。したがって、上記通信装置は、上記制御情報監視スケジュールおよび上記制御情報に含まれるプリエンプション指示に従って上記制御情報を受信し、例えば、他のUE等の他のソースによってプリエンプトされた通信リソースの少なくとも一部の間にデータを送信しないことによって、あるいは、これらの通信リソースの損失を補償するためのデータを送信するために変調および符号化を適応させることによって、アップリンクデータの送信を適応させることができる。
アップリンクプリエンプション
【００４６】
データの第１の送信のために割り当てられた通信リソースの一部が、例えば、他の通信装置によるデータの第２の送信のために後で割り当てられるアップリンクプリエンプションは、当該第１および第２の送信が異なる装置によって実行され得るため、特定の困難を提示し得る。
【００４７】
これは、インフラ機器１０１がプリエンプションが実行されることを決定し、プリエンプトされたデータ（例えば、ｅＭＢＢデータ）とプリエンプトするデータ（例えば、ＵＲＬＬＣデータ）の両方の送信を制御するダウンリンクプリエンプションとは対照的である。したがって、ダウンリンクプリエンプションが発生すると決定することに応答して、インフラ機器は、プリエンプトされた送信とプリエンプトする送信の両方が同じ通信リソースのセットを使用しないことを保証するために、その送信機を制御することができる。
【００４８】
しかしながら、プリエンプトされたデータ送信の当該送信がプリエンプトするデータ送信の当該送信と重複しない（すなわち、同じ通信リソースを使用しない）ことを保証する必要性が明らかに存在する。これは、インフラ機器がプリエンプトするデータ送信のデコードに成功することが、不可能ではないにしても困難であり得るからである。したがって、上記プリエンプトするデータ送信は、非常に高い信頼性を有する送信要件に関連付けられ得ることに留意すると、プリエンプトするデータの送信とのいかなる重複も回避するために、プリエンプトされたデータを送信するための通信リソースが割り当てられた通信装置が、その送信を確実に調整することが不可欠である。
【００４９】
図４は、本開示の実施形態に係るものであってもよい第１および第２の通信装置１０４ａ、１０４ｂおよびインフラ機器１０１と、アップリンクプリエンプションに関連する送信のシーケンスとを概略的に示す。
【００５０】
インフラ機器１０１は、まず、第１の通信装置１０４ａの使用のためのアップリンク通信リソースを示す第１のアップリンク割り当て指示６１０を送信してもよい。両方のデータ送信のためのアップリンク通信リソースのグラント（すなわち、割り当て）には、本質的に従来の技術を使用してもよい。これらの技術は、例えば、インフラ機器によって送信されるダウンリンク制御情報（ＤＣＩ）を使用して通信リソースが明示的に割り当てられるグラントベースの割り当てを含んでもよい。また、これらの技術は、グラントフリーのリソース割り当てを含み、通信リソースが１つまたは複数の通信装置の使用のために半静的に構成され、いかなる明示のグラントなしに、当該通信装置のうちの１つまたは複数によって使用され得る。
【００５１】
第１の通信装置１０４ａは、割り当てられたリソースを使用して、アップリンクデータ送信６１６の準備をしてもよい。この準備は、第１のアップリンク割り当て指示６１０を受信することに応答して、および／または、例えば、アップリンクデータを送信に利用可能であったという判定の前に第１のアップリンク割り当て指示６１０が受信された場合に、当該アップリンクデータを送信に利用可能であったという判定に応答して、行ってもよい。
【００５２】
第１のアップリンク割り当て指示６１０を送信した後、インフラ機器１０１は、第２の通信装置１０４ｂによる低レイテンシデータ送信により、第１の通信装置１０４ａがアップリンクデータ送信６１６のために使用することを意図していた通信リソースの一部またはすべてを使用して、第１の通信装置１０４ａのアップリンク送信をプリエンプトすべきであることを決定する。
【００５３】
プリエンプションを発生させると決定したことに応答して、インフラ機器１０１は、プリエンプション指示（ＰＩ）６１２を第１の通信装置１０４ａに送信し、アップリンクグラントであってもよい第２のアップリンク割り当て指示６１４を第２の通信装置１０４ｂに送信する。
【００５４】
第２のアップリンク割り当て指示６１４は、第１の通信装置１０４ａがアップリンクデータ送信６１６のために使用することを意図していたアップリンク通信リソースの一部またはすべてを含むアップリンク通信リソースを示す。
【００５５】
第２のアップリンク割り当て指示６１４の受信に応答して、第２の通信装置１０４ｂは、第２のアップリンク割り当て指示６１４によって示される通信リソースを使用して、低レイテンシアップリンクデータ６２０を送信する。
【００５６】
上述したように、低レイテンシアップリンクデータ６２０は、例えば、高い送信信頼性要件を有するＵＲＬＬＣデータであってもよい。第２の通信装置１０４ａがアップリンクデータ送信６１６をそのまま送信する場合、インフラ機器１０１による低レイテンシアップリンクデータ６２０の受信の成功確率は、低レイテンシアップリンクデータ６２０の信頼性要件を満たす可能性が非常に低いことがある。
【００５７】
したがって、ＰＩ６１２は、第１の通信装置１０４ａに、次のアップリンクデータ送信６１６に関してプリエンプションが発生することを示すことができる。ＰＩ６１２の受信に応答して、第１の通信装置１０４ａは、例えば、送信全体をキャンセルすることによって、その送信を修正してもよい。
【００５８】
ＰＩ６１２は、通信リソースの期間または範囲を示してもよく、第１の通信装置は、当該ＰＩ６１２の受信に応答して、示された通信リソースを使用した送信、または示された期間中の送信を控えてもよい。
【００５９】
諸実施形態では、ＰＩ６１２は、アップリンクデータ送信６１６を再スケジュールするという指示を含んでもよい。したがって、第１の通信装置１０４ａは、これに応答して、ＰＩ６１２の再スケジューリング指示に従ってアップリンクデータ送信６１６を実行してもよい。
【００６０】
本技術の諸実施形態では、ＰＩ６１２および第２のアップリンク割り当て指示６１４は、例えば、１つまたは複数のＯＦＤＭシンボルを含む同じ期間中等、実質的に同時に送信されてもよい。
【００６１】
ダウンリンクプリエンプションイベントを通知するための従来技術では、プリエンプションが発生した後にプリエンプション指示が送信されることがある。しかしながら、第１の通信装置１０４ａへのアップリンクプリエンプションを示すＰＩ６１２は、第１の通信装置１０４ａによる送信から生じる干渉がインフラ機器１０１による低レイテンシデータ６２０の受信に影響を及ぼさないことを保証するために、第１の通信装置からのアップリンクデータ送信をプリエンプトしているアップリンクデータ送信６１４の前に送信されなければならないことに留意されたい。
【００６２】
例えばＵＲＬＬＣデータに関連する低レイテンシ要件を満たすことができるアップリンク通信リソースを提供するために、ＵＲＬＬＣデータは、１スロット未満の粒度で、例えば、２つのＯＦＤＭシンボル期間の粒度でスケジュールされ得ることが予想される。その結果、送信用のＵＲＬＬＣデータを有する通信装置（第２の通信装置１０４ｂ等）は、ＵＲＬＬＣデータのアップリンク送信用にアップリンク通信リソースが割り当てられているかどうか、および割り当てられている場合、いつアップリンク通信リソースが割り当てられたかを判定するために、高頻度に無線アクセスインタフェースを監視することを要求され得る。
【００６３】
対照的に、ｅＭＢＢデータの送信時間がより長いことにより、ｅＭＢＢデータを有する通信装置（第１の通信装置１０４ａ等）は、スロット毎に１回等、より短い周期でアップリンクリソース割り当てを監視することが必要とされ得る。
【００６４】
上記から、ＰＩ６１２が第２のアップリンク割り当て６１４と実質的に同時に送信され得ることに留意すると、第１の通信装置１０４ａは、（任意のアップリンク割り当てを受信するために）第２の通信装置１０４ｂが無線アクセスインタフェースを監視するために必要とされるのと同じ周期で、（任意のＰＩを受信するために）無線アクセスインタフェースを監視することが必要とされ得ることが理解されよう。
【００６５】
同様に、第２の通信装置１０４ｂによって送信されるデータの信頼性要件を満たすために、第１の通信装置１０４ａは、プリエンプションが有効であることを保証するために、同じレベルの信頼性でＰＩ６１２を受信しなければならない。
【００６６】
これは、第１の通信装置１０４ａがＵＲＬＬＣデータ等の低レイテンシデータを送信することができない場合であっても、第１の通信装置１０４ａの著しい性能および複雑さを暗示している可能性がある。
【００６７】
したがって、その送信がこのようなプリエンプションの対象となり得る装置に対するアップリンクプリエンプションの使用の影響を最小限に抑えることが望まれる。
【００６８】
諸実施形態によれば、図４に示すＰＩ６１２等、各ＰＩに関連する期間が存在し得る。この期間を影響期間と呼ぶ。
【００６９】
影響期間の開始は、第１の通信装置１０４ａがＰＩ６１２を受信およびデコードし、それに応答して、アップリンクデータ送信６１６を適応させるための、あらかじめ定義され、指定され、標準化された（所定の）処理時間に基づいて決定されてもよい。この所定の処理時間をＮＰＩと呼ぶ。したがって、影響期間は、第２のＵＥ２  １０４ｂが低遅延データを送信するためにＵＥ１  １０４ａがそのアップリンク送信を停止する前にＰＩを検出およびデコードしなければならない期間である。ＵＥ１  １０４ａは影響期間を低減するために、より短い処理時間を実施することができるが、ネットワークはＵＥ１  １０４ａが少なくともこの定義された時間内にＰＩを処理できることを期待する場合がある。したがって、影響期間はネットワークのための最小時間であってもよいが、ＵＥはＰＩを処理するために、この時間を必要とする。
【００７０】
具体的には、所与のＰＩ６１２について、影響期間はＰＩ６１２を送信してからＮＰＩ経過後に開始してもよい。これは、ＰＩ６１２がこの時間より前に発生する低レイテンシアップリンクデータによるいかなるプリエンプションを可能にするためにも使用できないという事実を反映している。
【００７１】
影響期間の終了は、第２の通信装置１０４ｂがアップリンクグラント６１４を受信およびデコードし、それに応答して、低レイテンシアップリンクデータ６２０の送信を開始するために必要とされる、あらかじめ定義され／指定され／標準化された時間に基づいて決定されてもよい。この最小時間をＮ２と呼ぶ。具体的には所与のＰＩ６１２について、影響期間は、アップリンクグラント６１４が終了してからＮ２経過後の最も早い時間に終了してもよい。この場合、アップリンクグラント６１４はＰＩ６１２の後に送信される。
【００７２】
諸実施形態では、プリエンプションが発生することを示すＰＩは、当該プリエンプションがＰＩに関連する影響期間内に発生することを示してもよい。
【００７３】
図５は、本開示の実施形態に係る、プリエンプション指示に関して決定された影響期間を示す。
【００７４】
図５はある期間中のアップリンク通信リソース８１０およびダウンリンク通信リソース８２０を示し、時間の進行は矢印８２０によって示される。アップリンク通信リソース８１０およびダウンリンク通信リソース８２０は、時間的にタイムスロット８１２ａ、８１２ｂ、８１２ｃ、８１２ｄに細分される。各タイムスロットはさらに、ＯＦＤＭシンボル期間８１４に分割される。
【００７５】
アップリンクタイムスロットおよびダウンリンクタイムスロットの時間境界は、伝搬遅延およびタイミングアドバンスの使用を補償するためにオフセットとして示され、これにより、通信装置において、インフラ機器１０１においてアップリンク信号およびダウンリンク信号が時間整列されることを保証するために、受信したダウンリンク信号に対してアップリンク送信が時間的に進められる。
【００７６】
図５において、第１のアップリンク割り当て指示８０１は、（スロットｎ＋２  ８１２ｃの継続時間の間）ｅＭＢＢデータ送信用のアップリンク通信リソース８０５を割り当てるために、時間ｔ１からｔ２までにインフラ機器１０１によって第１の通信装置１０４ａに送信され、図４の第１のアップリンク割り当て指示６１０に広く対応する。時間ｔ３からｔ４までにインフラ機器１０１によって第１の通信装置１０４ａに送信されるプリエンプション指示（ＰＩ）８０３は、図４のＰＩ６１６に広く対応する。
【００７７】
ｔ４からｔ５までに、したがってＰＩ８０３の送信後に、インフラ機器１０１によって第２の通信装置１０４ｂに送信される低レイテンシアップリンクグラント指示８０２が示されている。低レイテンシアップリンクグラント指示８０２は、時間ｔ７で始まるＵＲＬＬＣデータの送信のために、アップリンク通信リソース８０４を第２の通信装置１０４ｂに割り当てる。
【００７８】
低レイテンシアップリンクグラント指示８０２はＰＩ８０３の送信後に送信されるので、対応するアップリンクリソース割り当て８０４はＰＩ８０３の影響期間内に入らない。むしろ、上述の影響期間の特徴付けに従って、ＰＩ８０３の影響期間８０６は時間ｔ６（すなわち、ＰＩ８０３を送信してからＮＰＩ経過後）から時間ｔ７（ＰＩ８０３の後に送信されるアップリンクグラントによって割り当てることができる通信リソースのための最も早い開始時間）まで継続する。
【００７９】
本開示の諸実施形態では、第１の通信装置１０４ａは、ＰＩ送信用のダウンリンク通信リソースを監視するためのスケジュールを決定する。すなわち、第１の通信装置１０４ａは、ＰＩが送信されたかどうかおよび／またはプリエンプションが送信ＰＩによって示されているかどうかを決定することを連続的に試みるのではなく、ＰＩが送信されたかどうかおよび／またはプリエンプションが送信ＰＩによって示されているかどうかを決定する目的で、受信した信号をデコードするためにＰＩ検出を選択的に実行してもよい。この選択的デコードは、決定した監視スケジュールに従って実行されてもよく、それに従って、特定の期間中に受信した信号のみがＰＩ検出のために使用される。すなわち、ＵＥは、監視スケジュールを使用して、ＰＩの検出を試行する時間を決定する。監視スケジュールは、無線通信ネットワークによって設定され、ＰＩの可能な送信時間のスケジュールを提供する。
【００８０】
第１の通信装置１０４ａは、インフラ機器１０１から監視スケジュールを特徴付ける１つまたは複数のパラメータの指示を受信することによって、監視スケジュールを決定してもよい。代替的にまたは追加的に、第１の通信装置１０４ａは、監視期間が計算され得る１つまたは複数のパラメータの指示を受信することによってスケジュールを決定してもよい。
【００８１】
諸実施形態では、第１の通信装置１０４ａは、監視スケジュールに含める候補である１つまたは複数のＰＩインスタンスに関連する影響期間を計算する。
【００８２】
監視スケジュールは、監視開始時間を含んでもよく、当該監視開始時間前には、当該スケジュールに従ってＰＩ検出が行われない。監視開始時間は、割り当てられたアップリンク通信リソース８０５の開始時間とパラメータＮＰＩとに基づいて決定されてもよい。監視開始時間は、ＰＩの送信が開始され得る最も遅い時間であってもよい。この場合、そのＰＩに関連付けられた影響期間は、割り当てられたアップリンク通信リソース８０５の開始までに（好ましくは同時に）開始する。監視開始時間は、
ＴＰＵＳＣＨ＿ｓｔａｒｔ-ＮＰＩ-ＴＰＩ
として決定されてもよく、ＴＰＩはＰＩの送信継続時間であり、ＴＰＵＳＣＨ＿ｓｔａｒｔはアップリンク通信リソース８１０が開始される時間である。
【００８３】
監視スケジュールは、監視終了時間を含んでもよく、当該監視終了時間後は、監視スケジュールに従ってＰＩ検出が行われない。監視終了時間は、割り当てられたアップリンク通信リソース８０５の終了時間とパラメータＮ２とに基づいて決定されてもよい。監視終了時間は、ＰＩの送信が終了し得る最も早い時間であってもよい。この場合、そのＰＩに関連する影響期間は、割り当てられたアップリンク通信リソース８０５の終了までに（好ましくは、同時に）終了する。監視終了時間は、
ＴＰＵＳＣＨ＿ＥＮＤ-Ｎ２-ＴＤＣＩ
として決定されてもよく、ＴＤＣＩは低レイテンシ通信リソースに対するアップリンクグラントの送信継続時間であり、ＴＰＵＳＣＨ＿ＥＮＤはアップリンク通信リソース８１０が終了する時点である。
【００８４】
諸実施形態では、監視終了時間は、
ＴＰＵＳＣＨ＿ＥＮＤ-Ｎ２
として決定されてもよい。
【００８５】
図６は、本開示の実施形態に係る、割り当てられたアップリンク通信リソースに関連するＰＩインスタンスを監視するための監視開始時間および監視終了時間を示す。
【００８６】
図６から図１０では、図５に関して既に説明した特徴には同じ参照番号を付し、それらの説明は簡潔にするために繰り返さない。
【００８７】
図５から図１０の２つ以上の図に現れ、その参照番号が整数の１００だけ異なる特徴は、同じ特徴を広く指し、または広く同様の機能を有する異なるインスタンスの特徴を指す。例えば、参照符号８０６、９０６、１００６等は影響期間を指し、参照符号８０３、９０３、１００３ａから１００３ｅ等はＰＩインスタンスを指し、参照符号８０１、９０１等は、例えば、第１の通信装置１０４ａによるｅＭＢＢデータ送信のためのアップリンク通信グラントの指示を示すために使用される。
【００８８】
図６では、割り当てられたアップリンク通信リソース９０５が時間ｔ５で開始し、時間ｔ９で終了する。
【００８９】
ＰＩ９０３をその影響期間がアップリンク通信リソース９０５の開始時間を含むように送信できる最も遅い時間はｔ３からｔ４であり、ｔ４＝ｔ５−ＮＰＩである。したがって、監視開始時間は、ｔ３に設定してもよい。
【００９０】
ＰＩ（図示せず）をその影響期間がアップリンク通信リソース９０５の終了時間を含むように送信できる最も遅い時間はｔ５からｔ６であり、ｔ５＝ｔ９−Ｎ２-ＴＤＣＩである。したがって、監視開始時間は、ｔ５に設定してもよい。
【００９１】
あるいは、本発明の諸実施形態によれば、監視開始時間は、ｔ６（ｔ６＝ｔ９−Ｎ２）に設定されてもよい。
【００９２】
従来、その送信がプリエンプトされ得る通信装置は、インフラ機器が通信リソース割り当てをプリエンプトする通信装置に送信する機会が生じる頻度に対応する頻度でＰＩを監視することを要求されることがある。例えば、インフラ機器が（ミニスロットが２つのＯＦＤＭシンボル期間を含む）任意のミニスロットで開始するＵＲＬＬＣデータ送信のためのリソースを割り当てるためにアップリンクグラントを送信し得る場合、その送信がプリエンプトされ得る他の通信装置は、ミニスロットごとにＰＩを監視することを要求されることがある。
【００９３】
本技術の諸実施形態によれば、上記監視スケジュールは、連続するＰＩ監視インスタンスの開始の間の期間である監視周期を含んでもよい。
【００９４】
本技術の諸実施形態によれば、上記監視周期は、上記各ＰＩの上記影響期間の継続時間に基づいて決定されてもよい。諸実施形態では、上記周期は、
Ｎ２-ＮＰＩ＋ＴＵ−ＤＣＩ
として決定されてもよく、ＴＵ＿ＤＣＩは、第２のアップリンク割り当て指示６１４等の、低レイテンシデータの送信のための通信リソースに対するアップリンクグラントの送信の継続時間である。
【００９５】
図７は、本開示の実施形態に係る、ＰＩインスタンスを監視するための監視開始時間、監視終了時間、および監視周期を示す。
【００９６】
アップリンク通信リソース１００５は、通信装置１０４ａによってアップリンクデータの送信のために割り当てられ、双方向矢印１００６によって示されるように、時間ｔ７から開始し時間ｔ１４で終了するスロットｎ＋２  ８１２ｃおよびスロットｎ＋３  ８１２ｄの継続時間にわたって継続する。 
【００９７】
図７では、監視開始時間はｔ３（ｔ３＝ｔ７−ＮＰＩに基づく）と決定され、監視終了時間はｔ１３（ｔ１３＝ｔ１４−Ｎ２）と決定される。
【００９８】
好ましくは、監視周期ＰＰＩは、集合的に、監視されるＰＩインスタンスの各々に関連する影響期間がすべてのアップリンク通信リソース１００５を含むように決定される。
【００９９】
好ましくは、監視周期ＰＰＩは、集合的に、監視されるＰＩインスタンスの各々に関連する影響期間がすべてのアップリンク通信リソース１００５を含むという制約を受けて最大化されるように決定される。
【０１００】
監視周期ＰＰＩは、
Ｎ２-ＮＰＩ＋ＴＵ−ＤＣＩとして決定されてもよい。
【０１０１】
図７の例では、Ｎ２＝１０個のＯＦＤＭシンボル、ＮＰＩ＝６個のＯＦＤＭシンボル、およびＴＵ−ＤＣＩ＝２個のＯＦＤＭシンボルである。したがって、監視周期＝６個のＯＦＤＭシンボルである。
【０１０２】
したがって、監視スケジュールにより、開始時間がＰＰＩ＝６個のＯＦＤＭシンボルによって分離されるＰＩ監視インスタンス１００３ａ、１００３ｂ、１００３ｃ、１００３ｄ、および１００３ｅが提供される。
【０１０３】
また、図７には、第２の通信装置１０４ｂによる低レイテンシ通信リソース１００４を使用したＵＲＬＬＣデータの送信が示されている。低レイテンシ通信リソース１００４は、ｔ４とｔ５との間で送信されるアップリンクグラント１００２ａによって第２の通信装置１０４ｂに割り当てられる。
【０１０４】
低レイテンシ通信リソース１００４は少なくとも１つの監視されるＰＩの影響期間内に入るので、第１の通信装置１０４ａは通信リソース１００５の一部をプリエンプトすることを決定することができる。
【０１０５】
より具体的には、第２のＰＩ監視インスタンス１００３ｂ（ｔ９で開始する）の影響期間が低レイテンシ通信リソース１００４に及ぶ。したがって、インフラ機器１０１は、第２の監視インスタンス１００３ｂで送信されたＰＩによって、そのＰＩに関連する影響期間の一部をプリエンプトすることを示してもよく、第１の通信装置１０４ａは、それを決定してもよい。
【０１０６】
ＰＩインスタンスに関連する影響期間の継続時間に応じて、監視周期が従来必要であった周期よりも長くなり得る本技術の諸実施形態に従って、監視スケジュールを決定してもよいことが理解されよう。
【０１０７】
上述のように、諸実施形態では、集合的に、監視されるPIに関連する影響期間が割り当てられたアップリンク通信リソースに対応する期間全体をカバーするように、上記監視スケジュールがPIに関連する影響期間に従って決定されてもよい。
【０１０８】
他方、諸実施形態では、監視スケジュールは、割り当てられたアップリンク通信リソースに対応する期間の１つまたは複数の部分が任意の監視されるＰＩの影響期間に対応しないようにされてものであってもよい。
【０１０９】
図８は、本開示の諸実施形態に係る、プリエンプション指示のための監視スケジュールを示す。
【０１１０】
図８の例の監視スケジュールによれば、ｅＭＢＢデータ送信のためのタイムスロットｎ＋２  ８１２ｃおよびタイムスロットｎ＋３  ８１２ｄにわたるアップリンク通信リソース１１０５が割り当てられている第１の通信装置１０４ａは、ＰＩインスタンス１１０３ａおよび１１０３ｂ、すなわち、時間ｔ５からｔ６まで、およびｔ９からｔ１０までのダウンリンク通信リソース８２０を監視する。したがって、上記監視スケジュールによれば、第１の通信装置１０４ａは、時間ｔ５の前、時間ｔ１０の後、または時間ｔ６からｔ９の間にＰＩ検出を実行する必要がない。
【０１１１】
２つのＯＦＤＭシンボルのＮＰＩ値および１０個のＯＦＤＭシンボルのＮ２値に基づいて、ＰＩインスタンス１１０３ａおよび１１０３ｂにそれぞれ対応する影響期間１１０６ａおよび１１０６ｂを決定してもよい。
【０１１２】
図８に例示するように、時間スロットｎ＋２  ８１２ｃおよびｎ＋３  ８１２ｄの各々の最初の４つのＯＦＤＭシンボルは、影響期間１１０６ａおよび１１０６ｂのいずれの期間内にもない。その結果、インフラ機器１０１が、これらのＯＦＤＭシンボルの間にプリエンプションが発生することを第１の通信装置１０４ａに示すことができない場合がある。言い換えれば、インフラ機器１０１がこれらのＯＦＤＭシンボル中に送信するように第２の通信装置をスケジュールする場合、当該インフラ機器は、このプリエンプションを第１の通信装置に通知するために、これらのＰＩのいずれも使用することができない。
【０１１３】
図８の例では、プリエンプションが、実際には、時間ｔ５からｔ６まで、およびｔ１０からｔ１１まで発生し、すなわち、ＵＲＬＬＣデータが、第１の通信装置１０４ａによってｅＭＢＢデータ送信のために割り当てられた通信リソース１１０５の部分１１０４ａ、１１０４ｂを使用して、第２の通信装置１０４ｂによって送信される。
【０１１４】
プリエンプションの両方のインスタンスが、監視されるＰＩインスタンス１１０３ａ、１１０３ｂのいずれかの影響期間１１０６ａ、１１０６ｂの外側にあるため、第１の通信装置１０４ａは、ｅＭＢＢデータの送信をいかなる方法でも変更することができない。その結果、インフラ機器１０１において重大な干渉が生じる可能性があり、第２の通信装置１０４ａによって送信されたＵＲＬＬＣデータの受信に成功する確率が不十分である可能性がある。
【０１１５】
このような問題を回避するために、本技術の諸実施形態によれば、インフラ機器１０１は影響期間１１０６ａ、１１０６ｂの外側にあるリソースを使用するプリエンプションが実現可能ではないと判定してもよく、その代わりに、第１の通信装置１０４ａの送信のプリエンプションをもたらしながら、決定された監視スケジュールに従って第１の通信装置１０４ａによって監視されるＰＩインスタンスに関連する１つまたは複数の影響期間の範囲内に入る他の通信リソースを第２の通信装置１０４ｂに割り当ててもよい。
【０１１６】
この技術は、第２の通信装置１０４ｂによるいくつかの送信に対するレイテンシの増加をもたらすことがある。したがって、諸実施形態では、第２の通信装置１０４ｂによってＵＲＬＬＣデータ送信のために使用される変調符号化方式が、よりロバストな符号化を提供するように適合されてもよい。したがって、インフラ機器１０１によるＵＲＬＬＣデータのデコードに失敗し、再送信が必要とされる確率が低減される。第２の通信装置１０４ｂは、インフラ機器１０１によって送信された指示を受信することに応答して、以上のように変調符号化方式を適応させてもよい。インフラ機器１０１は、第１の通信装置１０４ａの監視スケジュールに起因して、ＵＲＬＬＣデータの送信を遅延させる必要があると判定したことに応答して、指示を送信してもよい。
【０１１７】
諸実施形態では、ＵＲＬＬＣデータが第１の通信装置１０４ａによって監視されるＰＩインスタンスの影響期間外にある割り当てられたリソース１１０４ａ、１１０４ｂを使用して送信された場合に、当該ＵＲＬＬＣデータの受信に影響を及ぼす干渉を低減または回避するために、第１の通信装置１０４ａは、以下のようにして、そのｅＭＢＢ送信を適応させてもよい。
【０１１８】
第１の通信装置１０４ｂは、監視スケジュールに従って監視されるＰＩインスタンスに関連する影響期間を決定してもよい。第１の通信装置１０４ａは、決定された影響期間に基づいて、影響期間外の期間中の送信電力を、影響期間内の期間中のｅＭＢＢデータ送信のために使用されるものよりも低く（できる限りゼロに）なるように適応させてもよい。これは、影響期間外の期間中に、実際に、任意のプリエンプションが発生するかどうかを判定することなく行われてもよい。そのような実施形態では、ＵＲＬＬＣデータによってさらなるレイテンシを生じさせないようにすることができ、プリエンプションから生じる干渉を低減または回避することができる。
【０１１９】
図９は、本開示の実施形態に係る、第２の通信装置１０４ｂの送信電力が決定された影響期間外の期間中にゼロに低減される（換言すれば、不連続送信（ＤＴＸ）が使用される）例を示す。
【０１２０】
図９は、図８と同じシナリオを概略的に示す。しかし、図９の例では、第１の通信装置１０４ａは、ｔ５からｔ７までの期間１２０７ａおよびｔ１０からｔ１２までの期間１２０７ｂがその監視スケジュールに従って監視されるＰＩインスタンス１２０３ａ、１２０３ｂに関連する任意の影響期間外にあると判定する。この判定に基づいて、第１の通信装置１０４ａによるｅＭＢＢデータの送信は、これらの「非影響」期間１２０７ａ、１２０７ｂの間、これらの期間中における陰影の欠如によって示されるように、一時停止される。その結果、ＵＲＬＬＣデータ送信１２０４は、ｅＭＢＢデータの送信による干渉を受けない。
【０１２１】
ＤＴＸが、ｅＭＢＢデータ送信のために割り当てられた通信リソースの範囲内にあるが、任意の影響期間外である期間に適用される場合、諸実施形態では、ｅＭＢＢデータの送信が以下のうちの１つまたは複数によって適応されてもよい。
非影響期間１２０７ａ、１２０７ｂ中のｅＭＢＢデータをパンクチャリング
非影響期間１２０７ａ、１２０７ｂ中のＤＴＸの使用を考慮して、ｅＭＢＢデータ送信にレートマッチングを適用
非衝撃期間１２０７ａ、１２０７ｂ中に復調用参照信号（ＤＭＲＳ）を送信するのを控える
【０１２２】
諸実施形態では、監視スケジュールは、任意の非影響期間がｅＭＢＢ送信のために割り当てられた通信リソースの先頭または終端のいずれかに入るように決定される。そのような実施形態では、監視スケジュールにおいて、当該監視スケジュールに従って監視されるＰＩインスタンスの影響期間がｅＭＢＢデータ送信のためにリソースが割り当てられる期間内の単一の連続する期間に集合的に及ぶ。
【０１２３】
したがって、このような技術では、ｅＭＢＢデータ送信の位相不連続をもたらす可能性がある、進行中のｅＭＢＢ送信中における第１の通信装置によるＤＴＸまたは送信電力の任意の変形の必要がない。
【０１２４】
図１０は、本開示の例示的な実施形態に係る、任意の非影響期間がｅＭＢＢ送信のために割り当てられた通信リソースの先頭または終端のいずれかに入るような監視スケジュールの例を示す。
【０１２５】
図１０の例では、第１の通信装置１０４ａが、ｅＭＢＢデータの送信のために、時間ｔ５からｔ１２まで継続する通信リソース１３０５を割り当てられる。第１の通信装置１０４ａの監視スケジュールは、時間ｔ５からｔ６まで、および時間ｔ８からｔ９まで、それぞれ、２つのＰＩインスタンス１３０３ａ、１３０３ｂを監視することを必要とする。
【０１２６】
２つのＰＩインスタンス１３０３ａ、１３０３ｂの結合影響期間１３０６は、時間ｔ７からｔ１１まで継続し、したがって、連続している。したがって、非影響期間（すなわち、時間ｔ７の前または時間ｔ１１の後）に適用される任意のＤＴＸは、ｅＭＢＢデータの送信の連続性を依然として維持する（すなわち、ｅＭＢＢデータの送信は、時間ｔ７から時間ｔ１１まで連続している：この連続性は、ＵＥ  ＲＦがｅＭＢＢ送信の位相連続性を維持するに役立つ）。
【０１２７】
諸実施形態では、インフラ機器１０１は、非影響期間中にｅＭＢＢデータ送信のために使用される送信パラメータ（電力、パンクチャリングの程度、レートマッチングの適用、および／または変調符号化方式等）が影響期間中に使用されるものと異なるかどうか、および／またはどの程度異なるかを示すために、第１の通信装置１０４ａに指示を送信してもよい。そのような実施形態では、上記指示は、アップリンク通信リソース６１０のグラントの指示の一部として送信されてもよい（図１０のアップリンクグラント１３０１に広く対応する）。
【０１２８】
諸実施形態では、通信装置１０４ａは、ＵＬ  ＰＩの設定された監視スケジュールに基づいて、スケジューリングされたアップリンク送信における非影響期間の位置を決定する。ＵＥは、非影響期間中のｅＭＢＢデータ送信のために、不連続送信（ＤＴＸ）を含んでもよい影響期間中に使用されるものとは異なる送信パラメータ（電力、パンクチャリングの程度、レートマッチングの適用、および／または変調符号化方式等）を使用する。
【０１２９】
諸実施形態では、ｇＮＢは、ｅＭＢＢ  ＵＥに、例えば、アップリンクグラントメッセージでｅＭＢＢ  ＵＥにシグナリングすることによって、ＤＴＸを実行するように命令してもよい。他の実施形態では、ＵＥが、アップリンクＰＩ構成に基づいていつＤＴＸを実行すべきかを知っている。したがって、ｅＭＢＢ  ＵＥは、アップリンクＰＩの構成に基づいてＤＴＸを実行してもよい。
【０１３０】
本技術の諸実施形態では、プリエンプション指示６１２は、第１の通信装置１０４ａ等の特定の通信装置に固有である。
【０１３１】
ＰＩ６１２の送信に使用される通信リソースは、第１の通信装置１０４ａに固有であってもよい。諸実施形態では、ＰＩ６１２は、複数の通信装置に（すなわち、複数の通信装置の使用のために）アドレス指定されてもよい。ＰＩ６１２が通信装置のグループにアドレス指定される実施形態では、ＰＩ６１２は、当該グループに共通の無線ネットワーク一時識別子（ＲＮＴＩ）を使用してダウンリンク制御情報（ＤＣＩ）によって送信されてもよい。
【０１３２】
ＰＩ６１２の送信のために使用される通信リソースは、第１のアップリンク割り当て指示６１０、すなわち、ｅＭＢＢ送信のためのリソースを示すアップリンクグラントで示されてもよく、アップリンクグラントは、ＤＣＩで送信されてもよい。
【０１３３】
本技術の諸実施形態では、プリエンプション指示６１２がｅＭＢＢ送信６１６のために割り当てられた通信リソースのいくつかまたはすべての間、送信を控える必要があるかどうかを第１の通信装置１０４ａに示す、符号化された単一ビットの情報からなる。諸実施形態では、符号化ビットは、冗長な情報および／または符号化ビットを追加することによって符号化されてもよい。
【０１３４】
そのような実施形態では、ＰＩ検出が成功する確率は高く、それをデコードする複雑さは低い。したがって、ＮＰＩ値は低くなり得る。
【０１３５】
諸実施形態では、ＰＩ６１２は、単一ビットの情報と、２４ビットの長さを有してもよい巡回冗長検査シーケンスとを含むダウンリンク制御情報を含む。
【０１３６】
諸実施形態では、ＰＩ６１２は、３ＧＰＰリリース１５ウェイクアップ信号の仕様に従って符号化されたウェイクアップ信号をデコードするためにも使用され得るような、相関受信機によるデコードに適した所定のビットシーケンスを含む。所定のシーケンスは、第１の通信装置１０４ａに固有であってもよく、または通信装置のグループに固有であってもよい。
【０１３７】
諸実施形態では、ＰＩ６１２は、従来のＤＣＩサイズに対応するサイズを有するダウンリンク制御情報（ＤＣＩ）で送信される。上述のように、ＤＣＩは、第１の通信装置１０４ａによるＰＩ検出の信頼性を改善するために、符号化ビットおよび／または冗長ビットの追加ビットとともに、単一の情報ビットを含んでもよい。
【０１３８】
諸実施形態では、ＰＩ６１２は、各スロットの先頭で送信され、かつ、スロットの構造を示すために使用されるスロットフォーマットインジケータの一部として送信される。
【０１３９】
諸実施形態では、ＰＩ６１２のインフラ機器１０１による送信は、ｅＭＢＢ送信６１６に関してプリエンプションが発生することを示す。
【０１４０】
諸実施形態では、ＰＩ検出の信頼度が、ＰＩインスタンスの前にＰＩをそのＰＩインスタンスで送信するかどうかを判定する第１の通信装置１０４ａによって改善される。例えば、諸実施形態では、ＰＩが監視スケジュールの各ＰＩインスタンスで送信され、各ＰＩはプリエンプションが発生するか否かを示す。
【０１４１】
諸実施形態では、インフラ機器１０１がｉ）監視スケジュールのＰＩインスタンスごとにＰＩを送信する指示、またはｉｉ）監視スケジュールのＰＩインスタンスごとにＰＩを送信しない指示を、第１の通信装置１０４ａに送信する。この指示は、特定のアップリンク送信（ｅＭＢＢ送信６１６等）に適用することができ、諸実施形態では、ｅＭＢＢ送信６１６のためのアップリンク通信リソースを割り当てるアップリンクグラント６１０の一部として送信されてもよい。
【０１４２】
図１１は、本開示の実施形態に係る第１の通信装置１０４ａ等の通信装置のための処理フローチャートを示す。
【０１４３】
この処理は、ステップ１４１０から始まり、第１の通信装置１０４ａは、ｅＭＢＢデータ等のアップリンクデータの送信に割り当てられる通信リソースを決定する。この決定は、第１のアップリンク割り当て指示６１０等のアップリンクグラントの受信に応答してもよい。
【０１４４】
この処理はステップ１４２０に続き、第１の通信装置１０４ａはＰＩインスタンスを監視するための監視スケジュール（すなわち、ＰＩのデコードを試みなければならない時間）を決定する。監視スケジュールは、第１の通信装置１０４ａにより、例えば、Ｎ２、ＮＰＩ、ＴＰＩ、ＴＤＣＩ等の予め設定されたパラメータに基づいて、自律的に決定されてもよい。あるいは、１つまたは複数のそのようなパラメータは、インフラ機器１０１によって第１の通信装置１０４ａに送信される指示において示されてもよい。
【０１４５】
ステップ１４２０は、第１の通信装置１０４ａによって、１つまたは複数のＰＩインスタンスのそれぞれに関連する影響期間を決定することを含んでもよい。
【０１４６】
諸実施形態では、インフラ機器１０１は、監視スケジュールの１つ以上の特徴（例えば、監視開始時間、監視終了時間、監視周期の１つ以上）を決定し、監視スケジュールのこれらの特徴の指示を第１の通信装置１０４ａに送信し、このようにして、インフラ機器から受信した指示に基づいて監視スケジュールを決定する。
【０１４７】
上述したように、諸実施形態では、アップリンクグラントはｅＭＢＢデータ送信中にＰＩを送信しないことを示してもよく、この場合、第１の通信装置１０４ａは監視スケジュールが空であると判断してもよい。
【０１４８】
次に、処理はステップ１４３０に移行し、第１の通信装置１０４ａは、監視スケジュール内の次のＰＩインスタンスを監視する。
【０１４９】
ステップ１４４０において、通信装置は、ＰＩインスタンス中に受信した信号をデコードし、ｅＭＢＢ送信の一部またはすべてに関してプリエンプションが発生するかどうかを判定する。プリエンプションが発生する場合、処理はステップ１４５０に移行し、発生しない場合、処理はステップ１４６０に移行する。
【０１５０】
ステップ１４５０において、第１の通信装置１０４ａは、諸実施形態では、任意のさらなるｅＭＢＢデータを送信することを中止し（または控え）てもよい。
【０１５１】
他の実施形態では、ステップ１４５０において、第１の通信装置１０４ａは、ステップ１４４０において最も最近監視されたＰＩインスタンスに関連する期間を決定し、決定された期間中に送信することを控える。諸実施形態では、期間は、上述のように、（少なくとも）影響期間である。
【０１５２】
他の実施形態では、期間は、ＰＩインスタンスの後の可能な限り早い時点（かつ、好ましくは、ＰＩインスタンスの終了からＮＰＩを経過するまで）から始まり、次のＰＩインスタンスの開始まで、または、諸実施形態では、次のＰＩインスタンスに関連する影響期間の開始まで継続する。
【０１５３】
ステップ１４６０において、第１の通信装置１０４ａは、監視スケジュールに従って、任意の別のＰＩインスタンスを監視する必要があるかどうかを判定する。諸実施形態では、第１の通信装置１０４ａは、ＰＩの内容に基づいて、ｅＭＢＢ送信の残部の間にプリエンプションが発生しないこと、したがって、ステップ１４２０で判定された監視スケジュールに従って、いくつかがスケジュールされたままであっても、第１の通信装置１０４ａが任意の別のＰＩインスタンスを監視する必要がないことを判定してもよい。
【０１５４】
監視するＰＩインスタンスがさらにある場合、処理はステップ１４３０に戻り、そうでない場合、処理はステップ１４７０に移行し、第１の通信装置１０４ａは、別のＰＩインスタンスを監視することを控える。
【０１５５】
本技術の実施形態は、ｅＭＢＢ送信のために割り当てられたアップリンク通信リソースに従って決定される監視処理を提供し、これにより、ＰＩインスタンスを監視するために必要とされる通信装置の複雑さおよび処理要件を大幅に低減することができる。
【０１５６】
本技術の実施形態の前述の説明は、ＵＲＬＬＣおよびｅＭＢＢデータ送信に関連するものであったが、本開示の範囲はこれに限定されず、本明細書に開示される技術は他のタイプの送信に適用され得ることが理解されよう。
【０１５７】
このように、無線通信ネットワークにおいて使用するための通信装置であって、上記無線通信ネットワークの無線アクセスインタフェースの通信リソース上でデータを表す信号を送信するように構成された送信機と、上記通信リソースの一部が他の通信装置による送信のために割り当てられているかどうかを示す制御情報を表す信号を受信するように構成された受信機と、上記通信装置が上記データを表す上記信号を送信するための上記無線アクセスインタフェースの上記通信リソースを決定し、上記決定した通信リソースに基づいて、制御情報監視スケジュールを決定し、上記制御情報監視スケジュールに従って、上記制御情報を表す上記信号を検出およびデコードし、上記制御情報に従って、上記データを表す上記信号を送信するか、または上記データを表す上記信号を送信することを控えるように動作可能であるように、上記送信機および上記受信機を制御するように構成されたコントローラとを備える通信装置について説明した。
【０１５８】
本開示はいくつかの点で、特定の例を提供するために、ＬＴＥベースおよび／または５Ｇネットワークにおける実施に焦点を当てているが、同じ原理は他の無線電気通信システムに適用されてもよいことが理解されよう。したがって、本明細書で使用される用語は一般に、ＬＴＥおよび５Ｇ規格の用語と同じまたは類似しているが、その教示は現在のバージョンのＬＴＥおよび５Ｇに限定されず、ＬＴＥまたは５Ｇに基づいておらず、かつ／あるいは、任意の他の将来のバージョンのＬＴＥ、５Ｇ、または他の規格に準拠する任意の適切な装置に同様に適用することができる。
【０１５９】
本明細書で説明される様々な例示的な手法は、基地局および通信装置の両方に既知であるという意味で、所定の／事前定義された情報に依拠し得ることに留意されたい。このような所定の／事前定義された情報は、一般に、例えば、無線電気通信システムの動作規格における定義によって、または、例えば、システム情報シグナリングにおける基地局と通信装置との間で事前に交換されたシグナリングにおいて、または無線リソース制御セットアップシグナリングに関連して、またはＳＩＭアプリケーションに記憶された情報において、確立され得ることが理解されよう。すなわち、関連する事前定義された情報が確立され、かつ、無線電気通信システムの様々な要素間で共有される特定の方法は、本明細書に記載する動作の原理にとって最重要なものではない。さらに、本明細書に記載する各種の例示的な手法は、無線通信システムの各種要素間で交換／通信される情報に依存することに留意されたい。そのような通信は、一般に、文脈上別段の要求がない限り、例えば、特定のシグナリングプロトコルおよび使用される通信チャネルのタイプに関して、従来の技術に従って行われ得ることが理解されよう。すなわち、関連情報が無線電気通信システムの様々な要素間で交換される特定の方法は、本明細書に記載する動作の原理にとって最重要なものではない。
【０１６０】
本明細書に記載する原理は、特定のタイプの通信装置にのみ適用可能であるわけではなく、より一般的に、任意のタイプの通信装置に関して適用することができ、例えば、上記手法はマシンタイプの通信装置／ＩｏＴデバイスまたは他の狭帯域通信装置に限定されず、例えば、より一般的に、通信ネットワークへの無線リンクで動作する任意のタイプの通信装置に関して適用できることが理解されよう。
【０１６１】
さらに、本明細書に記載する原理は、ＬＴＥベースの無線電気通信システムだけに適用可能であるわけではなく、通信装置と基地局との間のランダムアクセス手順メッセージの交換を含むランダムアクセス手順をサポートする任意のタイプの無線電気通信システムに適用可能であることが理解されよう。
【０１６２】
本発明の別の特定の好ましい態様は、添付の独立請求項および従属請求項に記載されている。従属請求項の特徴は、請求項に明示的に記載されたもの以外の組み合わせで独立請求項の特徴と組み合わされてもよいことが理解されよう。
【０１６３】
したがって、前述の説明は、単に本発明の例示的な実施形態を開示及び説明するに過ぎない。当業者には理解されるように、本発明は、その精神または本質的な特徴から逸脱することなく、他の特定の形態で具体化することができる。したがって、本発明の開示は例示であることが意図されているが、本発明の範囲および他の特許請求の範囲を限定することを意図していない。本開示は、本明細書の教示の任意の容易に識別可能な変形を含み、発明の主題が公衆に開放されないように、前述の請求項の用語の範囲を部分的に定義する。
【０１６４】
本開示の各特徴は、以下の番号付けされた段落によって定義される。
段落１  無線通信ネットワークにおいて使用するための通信装置であって、
上記無線通信ネットワークの無線アクセスインタフェースの通信リソース上で信号を送信するように構成された送信機と、
上記無線アクセスインタフェースの上記通信リソース上で送信された信号を受信するように構成された受信機と、
上記信号を表すデータを送信するように上記送信機および上記受信機を制御するように構成された制御回路であって、
上記送信されるデータを表す上記信号を送信するために使用される上記無線アクセスインタフェースの通信リソースを決定し、
制御情報を受信するために上記無線アクセスインタフェースを監視するためのスケジュールを決定する
ように構成された制御回路とを備え、
上記監視スケジュールは、上記データを送信するために使用される上記決定された通信リソースに基づき、上記制御情報は、上記決定された通信リソースの少なくとも一部が他の通信装置によって信号を送信するために割り当てられることを示すプリエンプション指示に対して監視される
通信装置。
段落２  段落１に記載の通信装置であって、
上記制御情報監視スケジュールは、監視開始時間、監視周期、および監視終了時間のうちの１つまたは複数を含む
通信装置。
段落３  段落２に記載の通信装置であって、
上記監視開始時間は、上記決定された通信リソースの開始時間と、上記制御情報についての所定の処理時間に対応する所定の時間とに基づいて決定される
通信装置。
段落４  段落２または段落３に記載の通信装置であって、
上記制御情報監視スケジュールは、上記監視終了時間を含み、上記監視終了時間は、上記決定された通信リソースの終了時間と、通信リソースのグラントを示す制御情報についての所定の処理時間に対応する所定の時間とに基づいて決定される
通信装置。
段落５  段落２から段落４のいずれか１つに記載の通信装置であって、
上記制御情報監視スケジュールは、上記監視周期を含み、上記監視周期は、通信リソースのグラントを示す制御情報についての上記所定の処理時間に対応する上記所定の時間と、上記制御情報についての上記所定の処理時間に対応する上記所定の時間とのうちの１つまたは複数に基づいて決定される
通信装置。
段落６  段落２から段落５のいずれか１つに記載の通信装置であって、
上記制御回路は、上記通信装置が上記監視開始時間、上記監視周期性、および上記監視終了時間のうちの１つまたは複数の指示を受信するように上記送信機および上記受信機を制御するように構成される
通信装置。
段落７  段落１から段落６のいずれか１つに記載の通信装置であって、
上記制御情報監視スケジュールは、上記制御情報の複数のインスタンスを識別し、
上記制御回路は、
上記通信装置が
上記制御情報のインスタンスが上記決定された通信リソースの一部が他の通信装置による送信のために割り当てられていることを示すと判定し、
上記制御情報のインスタンスが上記決定された通信リソースの一部が他の通信装置による送信のために割り当てられていることを示すと判定したことに応答して、上記決定された通信リソースの対応する部分を決定する
ように動作可能となるように
上記送信機および上記受信機を制御するように構成される、
通信装置。
段落８  段落７に記載の通信装置であって、
上記決定された通信リソースの上記対応する部分は、上記制御情報監視スケジュールのうちの１つまたは複数に基づいて決定され、上記所定の時間は、上記制御情報についての最小処理時間に対応し、上記所定の時間は、通信リソースのグラントを示す制御情報についての最小処理時間に対応する
通信装置。
段落９  段落７または段落８に記載の通信装置であって、
上記制御回路は、
上記通信装置が
制御情報監視スケジュールに従って、上記制御情報を表す上記信号を受信およびデコードし、
上記制御情報に従って、上記データを表す上記信号を送信し、あるいは、少なくとも上記決定された通信リソースの上記対応する部分の間、送信を控えることによって、上記データを表す上記信号を送信することを控える
ように動作可能となるように
上記送信機および上記受信機を制御するように構成される
通信装置。
段落１０  段落１から段落９のいずれか１つに記載の通信装置であって、
上記制御回路は、
上記通信装置が、上記データを表す上記信号を送信するための上記無線アクセスインタフェースの上記通信リソースの指示を受信するように動作可能であり、
上記通信リソースが、上記無線アクセスインタフェースの共有アップリンクチャネル上にある
ように上記送信機および上記受信機を制御するように構成される
通信装置。
段落１１  無線通信ネットワークで使用するためのインフラ機器であって、
上記無線通信ネットワークによって提供される無線アクセスインタフェースを介して信号を送信するように構成された送信回路と、
上記無線通信ネットワークの上記無線アクセスインタフェースを介して送信されるデータを表す信号を受信するように構成された受信回路と、
上記インフラ機器が、
第１の通信装置から第１のデータを表す信号を受信するための上記無線アクセスインタフェースの第１の通信リソースを決定し、
上記第１の通信リソースに基づいて、上記第１の通信装置についての制御情報監視スケジュールを決定する
ように動作可能となるように上記送信回路および上記受信回路を制御するように構成された制御回路とを備え、
上記監視スケジュールは上記第１のデータを受信するために使用される上記決定された第１の通信リソースに基づき、上記制御情報は、上記第１の通信リソースの少なくとも一部が他の通信装置によって信号を送信するために割り当てられることを示すプリエンプション指示を提供する
インフラ機器。
段落１２  段落１１に記載のインフラ機器であって、
上記制御情報監視スケジュールは、監視開始時間、監視周期、および監視終了時間のうちの１つまたは複数を含む 
インフラ機器。
段落１３  段落１２に記載のインフラ機器であって、
上記制御情報監視スケジュールは、上記監視開始時間を含み、上記監視開始時間は、上記第１の通信リソースの開始時間と、上記制御情報についての予め定義された処理時間に対応する所定の時間とに基づいて決定される
インフラ機器。
段落１４  段落１２または段落１３に記載のインフラ機器であって、
上記制御情報監視スケジュールは、上記監視終了時間を含み、上記監視終了時間は、上記第１の通信リソースの終了時間と、通信リソースのグラントを示す制御情報についての予め定義された処理時間に対応する所定時間とに基づいて決定される
インフラ機器。
段落１５  段落１２から段落１４のいずれか１つに記載のインフラ機器であって、
上記制御情報監視スケジュールは、上記監視周期を含み、上記監視周期は、通信リソースのグラントを示す制御情報についての最小処理時間に対応する上記所定の時間と、上記制御情報についての最小処理時間に対応する上記所定時間とのうちの１つまたは複数に基づいて決定される
インフラ機器。
段落１６  段落１１から段落１５のいずれか１つに記載のインフラ機器であって、
上記制御回路は、
第２の通信装置から第２のデータを表す信号を受信するための上記無線アクセスインタフェースの第２の通信リソースを決定し、
上記決定された制御情報監視スケジュールに従って上記制御情報を受信するように上記受信回路を制御する
ように構成され、
上記第２の通信リソースは、上記第１の通信リソースの少なくとも一部を含み、上記制御情報は、上記第１の通信リソースの少なくとも一部が上記第２の通信装置によって信号を受信するために割り当てられたことを示す
インフラ機器。
段落１７  無線通信ネットワークにおいてデータを送信するように通信装置を動作させる通信装置動作方法であって、
上記送信するデータを表す信号を送信するために使用される上記無線通信ネットワークによって提供される無線アクセスインタフェースの通信リソースを決定し、
制御情報を受信するために上記無線アクセスインタフェースを監視するためのスケジュールを決定し、
上記監視スケジュールは、上記データを送信するために使用される上記決定された通信リソースに基づき、上記制御情報は、上記決定された通信リソースの少なくとも一部が他の通信装置によって信号を送信するために割り当てられることを示すプリエンプション指示に対して監視される
通信装置動作方法。
段落１８  段落１７に記載の通信装置動作方法であって、
上記制御情報監視スケジュールは、監視開始時間、監視周期、および監視終了時間のうちの１つまたは複数を含む
通信装置動作方法。
段落１９  段落１７または段落１８に記載の通信装置動作方法であって、さらに、
上記データを送信するために上記無線アクセスインタフェースの上記通信リソース上で信号を送信し、
上記監視スケジュールに従って、プリエンプション指示を提供する上記制御情報を検出し、
上記プリエンプション指示に従って、データを表す上記信号の上記送信を適応させる
通信装置動作方法。
段落２０  無線通信ネットワークにおいて使用するためのインフラ機器を動作させるインフラ機器動作方法であって、
データを表す信号を受信するための無線アクセスインタフェースの通信リソースを決定し、
上記決定された通信リソースに基づいて、プリエンプション指示を提供する制御情報を監視するためのスケジュールを決定し、
上記監視スケジュールは、上記データを受信するために使用される上記決定された通信リソースに基づき、上記プリエンプション指示は、上記通信リソースの少なくとも一部が他の信号を受信するために割り当てられていることを示す
インフラ機器動作方法。
段落２１  段落２０に記載のインフラ機器動作方法であって、
上記制御情報監視スケジュールは、監視開始時間、監視周期、および監視終了時間のうちの１つまたは複数を含む
インフラ機器動作方法。
段落２２  段落２０または段落２１に記載のインフラ機器動作方法であって、さらに、
上記データを受信するために上記無線アクセスインタフェースの上記通信リソース上で信号を受信し、
上記監視スケジュールに従って、上記プリエンプション指示を提供する上記制御情報を送信し、
上記プリエンプション指示に従って、他のデータを表す上記他の信号を適応させる
インフラ機器動作方法。
段落２３  無線通信ネットワークにおいて使用するための回路であって、
上記無線通信ネットワークの無線アクセスインタフェースの通信リソース上で信号を送信するように構成された送信機と、
上記無線アクセスインタフェースの上記通信リソース上で送信された信号を受信するように構成された受信機と、
上記信号を表すデータを送信するように上記送信機および上記受信機を制御するように構成された制御回路であって、
上記送信されるデータを表す上記信号を送信するために使用される上記無線アクセスインタフェースの通信リソースを決定し、
制御情報を受信するために上記無線アクセスインタフェースを監視するためのスケジュールを決定する
ように構成された制御回路とを備え、
上記監視スケジュールは、上記データを送信するために使用される上記決定された通信リソースに基づき、上記制御情報は、上記決定された通信リソースの少なくとも一部が他の通信装置によって信号を送信するために割り当てられることを示すプリエンプション指示に対して監視される
回路。
段落２４  無線通信ネットワークにおいて使用するための回路であって、
上記無線通信ネットワークによって提供される無線アクセスインタフェースを介して信号を送信するように構成された送信回路と、
上記無線通信ネットワークの上記無線アクセスインタフェースを介して送信されるデータを表す信号を受信するように構成された受信回路と、
上記インフラ機器が、
第１の通信装置から第１のデータを表す信号を受信するための上記無線アクセスインタフェースの第１の通信リソースを決定し、
上記第１の通信リソースに基づいて、上記第１の通信装置についての制御情報監視スケジュールを決定する
ように動作可能となるように上記送信回路および上記受信回路を制御するように構成された制御回路とを備え、
上記監視スケジュールは上記第１のデータを受信するために使用される上記決定された第１の通信リソースに基づき、上記制御情報は、上記第１の通信リソースの少なくとも一部が他の通信装置によって信号を送信するために割り当てられることを示すプリエンプション指示を提供する
回路。
【０１６５】
本発明の別の特定の好ましい態様は、添付の独立請求項および従属請求項に記載されている。従属請求項の特徴は、請求項に明示的に記載されたもの以外の組み合わせで独立請求項の特徴と組み合わされてもよいことが理解されよう。
【図１】
2022502938.tif 000003
【図２】
2022502938.tif 000004
【図３】
2022502938.tif 000005
【図４】
2022502938.tif 000006
【図５】
2022502938.tif 000007
【図６】
2022502938.tif 000008
【図７】
2022502938.tif 000009
【図８】
2022502938.tif 000010
【図９】
2022502938.tif 000011
【図１０】
2022502938.tif 000012
【図１１】
2022502938.tif 000013
【国際調査報告】
2022502938.tif 000014
2022502938.tif 000015